(57)【要約】【課題】本発明の課題は、クッションを背中につけることができ、人体の動きがあっても常に背中をクッションがカバーできる装着型背当クッションを提供することである。【解決手段】本発明に係る装着型背当クッションは、発泡性又は凹凸形状により、使用される下地の凹凸形状による横臥するものへ与える不快感を緩衝するクッションであって、すくなくとも背中及び腰を覆うサイズの緩衝体部とこれを人体に取り付けずれないようにする装着取付具を備えている。【選択図】図１
2014079306.tif 000002
【特許請求の範囲】
【請求項１】
横臥就寝時に背中の下側の下地の凹凸による身体への刺激を緩衝するクッションであり、すくなくとも背中を覆うサイズと、下地の凹凸を刺激を緩衝する厚みを有する発泡性又は弾性体又は空気による柔軟性又は凹凸形状の緩衝体部と、前記緩衝体部と一体に取付けられ、前記クッションが前記身体に取り付けた場合に前記身体の就寝中の動きにより、前記クッションが前記背中からずれないように前記身体と一体に動くために装着取付具を備えたことを特徴とする装着型背当クッション。
【請求項２】
前記装着取付具は、すくなくとも、前記身体の両肩の周りに紐、又は帯が周回されて頭を通す貫頭穴を形成していることを特徴とする請求項１記載の装着型背当クッション。
【請求項３】
前記緩衝体部は、背中以外に腰を覆うサイズを有し、両部位の間で柔軟に前後に折れるようにしたことを特徴とする請求項１又は請求項２に記載の装着型背当クッション。
【請求項４】
前記緩衝体部は、背中に当たる部分から両わき腹側に前記身体の曲面に沿ったせり出し部を備えたことを特徴とする請求項１から請求項３のいずれか１つに記載の装着型背当クッション。
【請求項５】
前記緩衝体部は、この上に掛けるシートをずれないように結合する係止具を備えたことを特徴とする請求項１から請求項４のいずれか１つに記載の装着型背当クッション。
【請求項６】
前記緩衝体部は、荷物を背負う場合に肩への荷物の食い込みを緩和する肩当を備えたことを特徴とする請求項１から請求項５のいずれか１つに記載の装着型背当クッション。
【請求項７】
前記緩衝体部は、荷物を背負う場合に前記背中が汗又は熱気で蒸れないように、
前記背中に接触する内側面と前記荷物に接触する外側面とが離間して備えられ、前記内側面と外側面の間に、上下方向に連続して繋がったエア孔を形成するように緩衝材が満たされ、前記内側面は、それに存在する内面孔又は網目により前記エア孔に前記背中の汗又は熱気が抜け上方に抜けるようにしたことを特徴とする請求項１から請求項６のいずれか１つに記載の装着型背当クッション。
【発明の詳細な説明】
【技術分野】
【０００１】
本発明は、アウトドアでの地面やテントやインドアでの床に直接、横臥して就寝するための背中側に付設される緩衝マット（クッション）に関するものである。
【背景技術】
【０００２】
従来、この種の背当のクッションは、図６の６−Ａに示すようなものがある。登山などのアウトドアでの使用では、丸めたり、折り畳んでザックの外に結びつけ運んだ後、テントの中に敷いて用いられる。クッション６００は、スポンジ状、波型の凹凸形状等による緩衝性、或いは、エアが入れることでの緩衝性を有していて、背中の下の凹凸を緩衝して背中が痛くないようにしている。使用時には、暑い場合は、そのまま、寒い場合は、寝袋などを使用してクッション６００の上に横たわる。６−Ｂには、寝袋６０１に入って使用した状態を示す。寝袋の使用の有無にかかわらず、就寝中には、寝相の悪さにより、クッション６００の上からはみ出すことがしばしば起こる。特許文献１には、このような状態の改善のため、エアマットを寝袋に付設したエアマット付寝袋が提案されている。これは、寝袋の外側に寝袋をつけたものである。改善にはなるが、使用者の人体がずれることには対応ができないので、例えば、人体が寝袋内で回転する場合には、マット上から人体が外れてしまう不都合が存在する。
【先行技術文献】
【特許文献】
【０００３】
【特許文献１】実願平８−１２３６５
【発明の概要】
【発明が解決しようとする課題】
【０００４】
従来、就寝時の背当てクッションでは、人体装着型のクッションは無かった。本発明の課題は、クッションを背中につけることができ、人体の動きがあっても常に背中をクッションがカバーできる装着型背当クッションを提供することである。
【課題を解決するための手段】
【０００５】
本発明の装着型背当クッションは、すくなくとも背中及び腰を覆うサイズの緩衝体部とこれを人体に取り付けずれないようにする装着取付具を備えている。
以下、請求項に沿って記述する。
【０００６】
請求項１記載の発明は、装着型背当クッションであって、
横臥就寝時に背中の下側の下地の凹凸による身体への刺激を緩衝するクッションであり、すくなくとも背中を覆うサイズと、下地の凹凸を刺激を緩衝する厚みを有する発泡性又は弾性体又は空気による柔軟性又は凹凸形状の緩衝体部と、前記緩衝体部と一体に取付けられ、前記クッションが前記身体に取り付けた場合に前記身体の就寝中の動きにより、前記クッションが前記背中からずれないように前記身体と一体に動くために装着取付具を備えたことを特徴とする。
【０００７】
請求項２記載の発明は、請求項１記載の装着型背当クッションにおいて、
前記装着取付具は、すくなくとも、前記身体の両肩の周りに紐、又は帯が周回されて頭を通す貫頭穴を形成していることを特徴とする。
【０００８】
請求項３記載の発明は、請求項１又は請求項２に記載の装着型背当クッションにおいて、前記緩衝体部は、背中以外に腰を覆うサイズを有し、両部位の間で柔軟に前後に折れるようにしたことを特徴とする。
【０００９】
請求項４記載の発明は、請求項１から請求項３のいずれか１つに記載の装着型背当クッションにおいて、前記緩衝体部は、背中に当たる部分から両わき腹側に前記身体の曲面に沿ったせり出し部を備えたことを特徴とする。
【００１０】
請求項５記載の発明は、請求項１から請求項４のいずれか１つに記載の装着型背当クッションにおいて、前記緩衝体部は、この上に掛けるシートをずれないように結合する係止具を備えたことを特徴とする。
【００１１】
請求項６記載の発明は、請求項１から請求項５のいずれか１つに記載の装着型背当クッションにおいて、前記緩衝体部は、荷物を背負う場合に肩への荷物の食い込みを緩和する肩当を備えたことを特徴とする。
【００１２】
請求項７記載の発明は、請求項１から請求項６のいずれか１つに記載の装着型背当クッションにおいて、前記緩衝体部は、荷物を背負う場合に前記背中が汗又は熱気で蒸れないように、前記背中に接触する内側面と前記荷物に接触する外側面とが離間して備えられ、前記内側面と外側面の間に、上下方向に連続して繋がったエア孔を形成するように緩衝材が満たされ、前記内側面は、それに存在する内面孔又は網目により前記エア孔に前記背中の汗又は熱気が抜け上方に抜けるようにしたことを特徴とする。
【発明の効果】
【００１３】
以上の様に構成されているので、本発明による装着型背当クッションでは、人体の動きと共に背中をカバーした状態を維持したままクッションも一体で移動するので、背中がクッションを外れる不都合は全く存在しない。
【図面の簡単な説明】
【００１４】
【図１】本発明に係る装着型背当クッションの実施態様を示す図である。
【図２】本発明に係る装着型背当クッションの一実施態様の詳細を示す図である。
【図３】本発明に係る装着型背当クッションの収納事情を説明する図である。
【図４】本発明に係る装着型背当クッションの着用又は使用状態の例を示す図である。
【図５】発明に係る装着型背当クッションに掛布を係止する係止具を備えて簡易の就寝状態の構成例を示す図である。
【図６】従来のクッションとその使用状態を示す図である。
【発明を実施するための形態】
【００１５】
本発明の装着型背当クッションは、発泡性又は凹凸形状により、使用される下地の凹凸形状による横臥するものへ与える痛み等の不快感を緩衝するクッションであって、すくなくとも背中及び腰を覆うサイズの緩衝体部とこれを人体に取り付けずれないようにする装着取付具を備えている。尚、足の部分は、下地の凹凸形状による不快感は受けないので、必ずしも対応する必要はない。以下図に沿って説明する。
【００１６】
図１は、本発明に係る装着型背当クッションの実施態様を示す図である。
装着型背当クッション１００は、すくなくとも背中及び腰を覆うサイズの緩衝体部とこれを人体に取り付けずれないようにする装着取付具を備えている。緩衝体部は、発泡性又は弾性体又は空気による柔軟性又は凹凸形状などによる下地の凹凸の刺激を緩衝する厚みを有する平板状体（背中に付設するので、必ずしも平らということでなく曲面を持っている）である。これらの材質としては、発泡性又は弾性体では、クロロプレンゴムスポンジ、軟質ウレタンフォーム、発泡ポリエチレンフォームなどが使用される。弾性体の別な形態としては、2つのシート間に、発泡性又は弾性体による充填物を局所的に均等に嵌め込んだ構成も考えられる。例えば、ゴムの充填物や、プラスチックのバネを多数個、均等に嵌め込んだものである。空気による柔軟性は、エアマットである。凹凸形状は、1枚のシートで凹凸があり、そのため柔軟に曲がるものをいう。波板のように一方向に凹凸を繰り返す形状、縦横に凹凸を繰り返す形状、平板の上に蒲鉾が並んだような凹凸を繰り返す形状など多くが可能である。
尚、就寝時には、一般に寝返りを打ったり、横向きになったりもするので、緩衝体部は、背中及び腰の部分で横（わき腹）をカバーするように体の曲面に沿ったせり出し部１１１を備えると好都合である。
１−Ａにおいては切断面Ａで切った場合の断面を下に示し、せり出し部１１１が分かるようにしている。
【００１７】
１−Ａは、最も単純なもので、装着使用時には、緩衝体部１１０に装着取付具１２０が備えてあり、装着取付具１２０は、ここでは、肩の位置に存在する頭を通すための貫頭穴１２１を有している。尚、貫頭穴１２１は、始めから穴の形態でなく、紐又は帯を首に回して結合することで穴ができることも可能である。いずれも、両肩の周りに紐、又は帯が周回されて貫頭穴１２１が形成されている。
他に、腰の位置も把持したい場合は、装着取付具１２０の一つの形態として、腰位置把持具１２２を備えると好都合である。腰位置把持具１２２は、紐、バックルのついた帯、ベルクロのついた帯などが使用できる。緩衝体部１１０は、ここでは、背中及び腰を覆うサイズであるが、勿論足まで長くあってもよい。但し、通常、下地の凹凸形状による不快感（痛み）は、足や脚部（お尻の柔らかい臀部も同様）は感じないので、この部分に対応するのは、必須ではなく、少しでも軽く小さくすることを考えると、背中及び腰をカバーするサイズが適当である。更に、横臥と立ち上がりを使用者は繰り返すことが普通である。テント内での横臥状態から座状態、テント外での立ち状態、トイレに行くときの座りと立ち状態などを頻繁に繰り返す。このような場合に装着型背当クッションをつけたり外したりを繰り返すので面倒である。むしろ、装着型背当クッションが軽ければ、チョッキを付けている感覚で常時つけている方が都合がよい。そのためには、腰位置までしか無い方が使いやすい。尚、背中に当たる部分（背緩衝体部）に対して腰に当たる部分（腰緩衝体部）が自在に曲がる柔軟性を持つことがよい。そのことで、例えば、座状態では、腰緩衝体部が座布団のように敷けるし、大便用トイレでのはばかりでは、影響の無いように外側に捲り上げることができる。
１−Ｂは、１−Ａとは、肩の位置に存在する頭を通すための貫頭穴１２１以外に、両腕を通す腕穴部１２３を備えていることである。
装着型背当クッションは、使用しない場合は、図３に示すように、巻き込む又は折り畳んで小さくして収納するのが普通である。しかしながら、同じ持参する手間は同じということを考慮すると、装着型背当クッションをファッション性を良くして常時装着しておくことも可能であり、その場合には、１−Ｃのようにサックを背負うための肩当１３０を備えたものも好都合である。
【００１８】
図４は、本発明に係る装着型背当クッションの着用又は使用状態の例を示す図である。
４−Ａには、１−Ｂの装着型背当クッションを装着して前から見た状態であり、４−Ｂは後ろから見た状態である。４−Ｃは、装着型背当クッションを装着してザックを背負った状態を示す。４−Ｄでは、装着型背当クッションを装着して寝袋の中で横臥した状態を示す。このように装着状態でも使用者には多くの状態が存在する。必ずしも横臥状態ばかりではない。
【００１９】
図１の１−Ｄに戻って、１−Ｃの肩当１３０が付いたものに、更に緩衝体部１１０に背中の汗を乾燥させる（背中のむれ防止対策）背中蒸れ防止構成１３１を組み込んだものを示す。これは、以下の図２で詳述する。
図２は、本発明に係る装着型背当クッションの一実施態様の詳細を示す図である。
２−Ａでは、１−Ｄに示すものを立てて示しているが同じものである。２−Ｂには、緩衝体部１１０の構造を示す。緩衝体部１１０は、背中や腰に接触する内側面２１０と下地や、ザックに接触する外側面２２０があり、その間には、緩衝材２３０が詰まっている。緩衝材２３０の詰まり方は、上下方向に連続して繋がったエア孔２３１を有し、このエア孔２３１と内側面２１０の存在する内面孔２１１又は内側面２１０は網目構成であることによる内面孔２１１は、繋がっている。そのため、背中や腰の汗や熱気は、内面孔２１１を通じて、エア孔２３１に入り、蒸発して対流により上方に抜ける。そのため、背中や腰は冷涼になる。尚、緩衝材２３０は、横臥状態でのみクッション性を持てばよいが、ゴムの充填物や、プラスチックのバネを多数個、均等に嵌め込んだものの例であるが、発泡性のクッションで必要な孔を備えれば、どのような手段も可能である。尚、２−Ｃでの内側面２１０、外側面２２０は、両端が繋がって矩形の形状に書いてあり、硬いイメージがあるが、
緩衝体部１１０全体は、柔軟であり、矩形の形状にこだわらないものである。
【００２０】
図５は、発明に係る装着型背当クッションに掛布を係止する係止具を備えて簡易の就寝状態の構成例を示す図である。５−Ａには、１−Ｃに示した装着型背当クッションと同じものを示しているが、勿論、図１の他のものでもよい。装着型背当クッション５１０には、係止具Ａ５１１が備えてある。５−Ｂには、シート５２０が示されている。最近は、断熱シートなども市販されているので使用できるので暖かい状態を得ることができる。シート５２０にも係止具Ｂ５２１が備えられている。係止具Ａ５１１と係止具Ｂ５２１は一体となって、シート５２０を掛布として装着型背当クッション５１０に係止する。尚、係止具は、ホック状のものを示したが、例えば、シート５２０を掛けてから、装着型背当クッション５１０に備えた帯を回して締めて結ぶ帯であったり、ファスナー、フック掛、バックル、ベルクロなどの結合具など多くの手段が使用可能である。５−Ｃでは、シート５２０を掛けて横臥・就寝状態のものであり、暑い夏場などは、これで十分であり寝袋などは不要となる。
又、雨の心配がなければ、テントなしでも就寝可能である。
【産業上の利用可能性】
【００２１】
以上のように本発明による装着型背当クッションは、人体の動きと共に背中をカバーした状態を維持したままクッションも一体で移動するので、背中がクッションを外れる不都合は全く存在しない。また、常時装着やその上からザックを背負うことも可能である好都合さがあり、産業上利用して効果が極めて大きい。
【符号の説明】
【００２２】
１００、５１０  装着型背当クッション
１１０  緩衝体部
１１１  せり出し部
１２０  装着取付具
１２１  貫頭穴
１２２  腰位置把持具
１２３  腕穴部
１３０  肩当
１３１  背中蒸れ防止構成
２１０  内側面
２１１  内面孔
２２０  外側面
２３０  緩衝材
２３１  エア孔
５１１  係止具Ａ
５２０  シート
５２１  係止具Ｂ
【図１】
2014079306.tif 000003
【図２】
2014079306.tif 000004
【図３】
2014079306.tif 000005
【図４】
2014079306.tif 000006
【図５】
2014079306.tif 000007
【図６】
2014079306.tif 000008